(57)【要約】【課題】  従来の超音波溶着器では、アンビルと超音波振動子との溶着部をハサミで切断するようにしているが、作業性が悪いという問題があり、又、溶着部を全体に薄くするような溶着にすると、ちぎれ等の問題が出てしまう。【解決手段】  アンビル３ｂの超音波振動子２のホーン２ａとの接触部分３ｃに突起３ｄが形成され、ハンドピース１の側面に回動可能に装着された回動部材５のレバー５ｂをハンドピース１の方向に押し付けると、回動部材５の三角部材５ａに固着された駆動軸６でＵ字状のバネ８がバネの力に抗して押され、バネ８が戻る力によって、アンビル部３の摺動部材３ａに固着された支持軸７が押されるので、支持軸７はバネ８の戻る力によって移動され、アンビル部３の摺動部材３ａと一体となったアンビル３ｂの端部が超音波振動子２のホーン２ａの方向に移動し、アンビル３ｂの突起３ｄによって、被溶着物１０に薄い溶着部分を形成する。【選択図】図１
2007175877.tif 000002
【特許請求の範囲】
【請求項１】
超音波振動子を内蔵し、該超音波振動子のホーンの先端が端部に突出したハンドピースと、該ハンドピースの側部に摺動部材を装着し、該摺動部材から突出するアンビルの接触部が前記超音波振動子のホーンと対向するように装着され、前記アンビルの接触部の中央部分に突起を設けたアンビル部とからなり、被溶着物を溶着する時に、前記アンビルが被溶着物を溶着するとともに、前記アンビルの突起によって被溶着物を薄い溶着部分を設けるようにすることを特徴とする超音波溶着器。
【請求項２】
前記アンビルの突起は幅の狭い帯状の突起であることを特徴とする請求項１記載の超音波溶着器。
【請求項３】
前記アンビルの突起は部分的に途切れていることを特徴とする請求項１記載の超音波溶着器。
【請求項４】
前記アンビルの突起は幅の広い帯状の突起であることを特徴とする請求項１記載の超音波溶着器。
【発明の詳細な説明】
【技術分野】
【０００１】
本発明は、アンビルに突起を設けることににより、被溶着物の溶着部分に薄い部分を形成するようにした超音波溶着器に関するものである。
【背景技術】
【０００２】
従来、図９及び図１０に示すように、ハンドピース１の一端に超音波振動子２のホーン２ａの端部が突出され、ハンドピース１の側部にアンビル部３の摺動部材３ａが摺動可能に装着され、摺動部材３ａからアンビル３ｂがほぼ垂直に形成され、アンビル３ｂの端部は超音波振動子２のホーン２ａの端部と接触するように構成され、ハンドピース１の両側面に装着された回動軸４で回動部材５の三角部材５ａの頂点部分が支持され、又、回動部材５は三角部材５ａからハンドピース１の下方に斜めにレバー５ｂが形成され、さらに、回動部材５の三角部材５ａの底部近傍に駆動軸６が固着され、又、アンビル部３の摺動部材３ａを貫通して支持軸７が摺動部材３ａに固着され、駆動軸６と支持軸７の間にＵ字状のバネ８が装着され、又、ハンドピース１の側部に発振スイッチ９が装着され、レバー３ｂに装着した突出部５ｃで発振スイッチ９を押すようにした超音波溶着器が提案されている。
【０００３】
しかしながら、この超音波溶着器では、アンビルと超音波振動子とによって溶着された溶着部はあまり薄くならず、アンビルと超音波振動子との溶着部をハサミ等で切断するようにしているが、作業性が悪いという問題があり、又、溶着部を全体に薄くするような溶着にすれと、ちぎれ等の問題が出てしまう。
【特許文献１】特願２００４−２５２２２６
【発明の開示】
【発明が解決しようとする課題】
【０００４】
解決しようとする問題点は、従来の超音波溶着器では、アンビルと超音波振動子との溶着部をハサミで切断するようにしているが、作業性が悪いという問題があり、又、溶着部を全体に薄くするような溶着にすると、ちぎれ等の問題が出てしまう。
【課題を解決するための手段】
【０００５】
本発明では、ハンドピースは超音波振動子を内蔵し、超音波振動子のホーンの先端が端部に突出され、アンビル部はハンドピースの側部に摺動部材を装着し、該摺動部材から突出するアンビルの接触部が前記超音波振動子のホーンと対向するように装着され、アンビルの接触部の中央部分に突起を設けてなり、被溶着物を溶着する時に、アンビルが被溶着物を溶着するとともに、アンビルの突起によって被溶着物の薄い溶着部分を設けるようにするものである。
【発明の効果】
【０００６】
本発明の超音波溶着器は、アンビルの突起によって被溶着物を薄い溶着部分を設けることにより、溶着完了時に、被溶着物の溶着部分は完全に切断又は分離されていないので、必要に応じて溶着部分に力を加えると、分離可能であり、被溶着物の薄い部分を簡単に切断することができるという利点がある。
【実施例】
【０００７】
図１は本発明の実施例の超音波溶着器のアンビルとホーン部分の斜視図で、アンビル３ｂに超音波振動子２のホーン２ａとの接触部分３ｃに突起３ｄが形成されている。
【０００８】
このように構成された本実施例の超音波溶着器では、図９及び図１０に示すように、ハンドピース１の側面に回動可能に装着された回動部材５のレバー５ｂをハンドピース１の方向に押し付けると、回動部材５の三角部材５ａに固着された駆動軸６でＵ字状のバネ８がバネの力に抗して押され、バネ８が戻る力によって、アンビル部３の摺動部材３ａに固着された支持軸７が押されるので、支持軸７はバネ８の戻る力によって移動され、アンビル部３の摺動部材３ａと一体となったアンビル３ｂの端部が超音波振動子２のホーン２ａの方向に移動するが、図２に示すように、アンビル３ｂは超音波振動子２のホーン２ａは薬液等１１が封入された被溶着物１０を挟んで対向して配置され、次に、図３に示すように、被溶着物１０にアンビル３ｂの突起３ｄが押圧されると、突起３ｄは超音波振動子２のホーン２ａの方へ移動し、突起３ｄがホーン２ａと接触して押圧され、アンビル３ｂの接触面３ｃはホーン２ａから離れているので、図４に示すように、接触面３ｃと接触する部分１０ｂは厚く形成され、被溶着物１０の溶着された部分１０ａは突起３ｄが接触する部分で薄く形成され、簡単に分離可能な状態に形成される。
【産業上の利用可能性】
【０００９】
なお、上記実施例では、アンビル３ｂの中央部分に突起３ｄを形成したが、図５に示すように、部分的に分離されて突出した突起３ｅを形成してもよく、その場合には、図６に示すように、被溶着物１０の溶着部分１０ｄは離れて部分的に薄く形成され、さらに、図７に示すように、アンビル３ｂの中央部分に幅の広い突起３ｆを形成してもよく、その場合には、図８に示すように、被溶着物１０に幅の広い薄い部分１０ｅが形成され、又、この突起は直線状でなくても、波型やジグザク状に形成しても良い。
【図面の簡単な説明】
【００１０】
【図１】本発明の実施例の超音波溶着器のアンビルとホーン部分の斜視図である。
【図２】図１のアンビルとホーンの動作を説明するための図である。
【図３】図１のアンビルとホーンの動作を説明するための図である。
【図４】図１のアンビルとホーンの動作を説明するための図である。
【図５】本発明の実施例のアンビルの突起の他の例を示した図である。
【図６】図５のアンビルによって形成した被溶着物の溶着部分の平面図である。
【図７】本発明の実施例のアンビルの突起の他の例を示した図である。
【図８】図７のアンビルによって形成した被溶着物の溶着部分の平面図である。
【図９】従来の超音波溶着器の側面図である。
【図１０】図９の超音波溶着器の透視図である。
【符号の説明】
【００１１】
２                        超音波振動子
２ａ                      ホーン
３                        アンビル部
３ｂ                      アンビル
３ｃ                      接触面
３ｄ、３ｅ、３ｆ          突起
１０                      被溶着物
１０ａ、１０ｂ、１０ｃ    溶着部分
１１                      薬液等
【図１】
2007175877.tif 000003
【図２】
2007175877.tif 000004
【図３】
2007175877.tif 000005
【図４】
2007175877.tif 000006
【図５】
2007175877.tif 000007
【図６】
2007175877.tif 000008
【図７】
2007175877.tif 000009
【図８】
2007175877.tif 000010
【図９】
2007175877.tif 000011
【図１０】
2007175877.tif 000012